(57)【要約】【課題】磁気特性を再評価すること無くコア片間を拡大することができる回転電機の積層鉄心を提供する。【解決手段】バックヨーク部１４と、磁極ティース部１５とを有する板状のコア片１３を、バックヨーク部１４の凸部１６と凹部１７とが隣接するように帯状に配列するとともに、軸方向Ｂに複数積層連結され、軸方向Ｂの積層において、凸部１６が回転電機の回転方向Ｃと同一方向に配列された第１コア部材２１、２２と、凸部１６が逆方向に配列された第２コア部材２３とが交互に複数積層され、上層側の１組の第１コア部材２２および第２コア部材２３のコア片１３の凸部１６には、回動ピン３０が挿入可能な回動穴部２７、２８を有し、第１コア部材２１には、隣接するコア片１３のバックヨーク部１４同士を凸部１６および凹部１７より外径側にて結合する結合部２５を備える。【選択図】図１
2014230345.tif 000002
【特許請求の範囲】
【請求項１】
一端部が凸部に他端部が凹部にそれぞれ形成されたバックヨーク部と、
上記バックヨーク部から回転電機の内周側に突出して形成された磁極ティース部とを有する板状のコア片を、
上記バックヨーク部の凸部と上記バックヨーク部の凹部とが隣接するように帯状に配列するとともに、
上記回転電機の軸方向に複数積層連結された回転電機の積層鉄心であって、
上記軸方向の積層において、
複数の上記コア片の上記凸部が上記回転電機の回転方向と同一方向に配列された第１コア部材と、
複数の上記コア片の上記凸部が上記回転電機の回転方向と逆方向に配列された第２コア部材とが交互に複数積層され、
上記軸方向の上層側の少なくとも１組の上記第１コア部材および上記第２コア部材の上記コア片の上記凸部には、回動具が挿入可能な回動穴部を有し、
上記第１コア部材の少なくとも１つまたは上記第２コア部材の少なくとも１つには、隣接する上記コア片の上記バックヨーク部同士を上記凸部および上記凹部より外径側にて結合する結合部が形成されている回転電機の積層鉄心。
【請求項２】
上記コア片は、上記凹部および上記凸部が形成されている以外の箇所に、上記軸方向の積層において連結するための連結部が形成されている請求項１に記載の回転電機の積層鉄心。
【請求項３】
上記結合部は、上記軸方向の積層の最下端位置または最上端位置の上記コア片間に形成されている請求項２に記載の回転電機の積層鉄心。
【請求項４】
上記結合部が形成されている上記コア片上には、上記結合部が形成されていない上記コア片が積層連結され形成されている請求項１から請求項３のいずれか１項に記載の回転電機の積層鉄心。
【請求項５】
上記第１コア部材の上記回動穴部の位置と、上記第２コア部材の上記回動穴部の位置とは、隣接する上記コア片間において長手方向において重なり合わない位置に形成されている請求項１から請求項４のいずれか１項に記載の回転電機の積層鉄心。
【請求項６】
上記結合部は、剛性が他の箇所と比較して弱くなる弱剛性箇所を有する請求項１から請求項５のいずれか１項に記載の回転電機の積層鉄心。
【請求項７】
上記結合部の上記弱剛性箇所は、上記他の箇所の幅寸法より幅寸法が細く形成されている請求項６に記載の回転電機の積層鉄心。
【請求項８】
上記結合部の上記弱剛性箇所は、上記バックヨーク部に接する箇所および上記結合部の中央箇所にそれぞれ形成されている請求項６または請求項７に記載の回転電機の積層鉄心。
【請求項９】
上記結合部は、上記バックヨーク部の外径より内側に形成されている請求項１から請求項８のいずれか１項に記載の回転電機の積層鉄心。
【請求項１０】
上記第１コア部材の上記凸部に設けた上記回動穴部、または、
上記第２コア部材の上記凸部に設けた上記回動穴部のいずれか一方は、上記回動具の大きさより大きく、他方は上記回動具の大きさより小さく形成されている、
または、
上記第１コア部材の上記凸部に設けた上記回動穴部の形状、または
上記第２コア部材の上記凸部に設けた上記回動穴部の形状のいずれか一方は、上記回動具の形状と同形状にて、他方は上記回動具の形状と異形状にて形成されている請求項１から請求項９のいずれか１項に記載の回転電機の積層鉄心。
【請求項１１】
請求項１から請求項１０のいずれか１項に記載の回転電機の積層鉄心において、
上記磁極ティース部に装着されたインシュレータと、
上記インシュレータを介して巻装された駆動コイルと、
隣接する上記コア片の上記回動穴部同士が上記軸方向において同一箇所となるよう、上記結合部を変形させて隣接する上記コア片同士を近接され、上記回動穴部に挿入された上記回動具とを備えた回転電機の積層鉄心。
【請求項１２】
請求項１１に記載の回転電機の積層鉄心において、
上記結合部の変形は、上記軸方向に変形して形成されている回転電機の積層鉄心。
【請求項１３】
請求項１１または請求項１２に記載の回転電機の積層鉄心において、
変形された上記結合部が除去され形成する回転電機の積層鉄心。
【請求項１４】
請求項１１から請求項１３のいずれか１項に記載の回転電機の積層鉄心の製造方法において、
上記磁極ティース部に装着し、上記インシュレータを介して上記駆動コイルを巻装した後に、
隣接する上記コア片の上記回動穴部同士が上記軸方向において同一箇所となるよう、上記結合部を変形させて隣接する上記コア片同士を近接させ、上記回動穴部に上記回動具を挿入する回転電機の積層鉄心の製造方法。
【請求項１５】
請求項１１から請求項１３のいずれか１項に記載の回転電機の積層鉄心の製造方法において、
隣接する上記コア片の上記回動穴部同士が上記軸方向において同一箇所となるよう、上記結合部を変形させて隣接する上記コア片同士を近接させ、上記回動穴部に上記回動具を挿入した後、
上記磁極ティース部に装着し、上記インシュレータを介して上記駆動コイルを巻装する回転電機の積層鉄心の製造方法。
【請求項１６】
請求項１４または請求項１５に記載の回転電機の積層鉄心の製造方法において、上記回動穴部に上記回動具を挿入した後に、上記結合部を除去する工程を備えた回転電機の積層鉄心の製造方法。
【請求項１７】
請求項１１から請求項１３のいずれか１項に記載の回転電機の積層鉄心を上記回動具にて上記コア片同士を回動させ環状に形成するステータ。
【請求項１８】
請求項１１から請求項１３のいずれか１項に記載の回転電機の積層鉄心を複数個有し、上記回動具にて上記コア片同士を回動させ複数の上記回転電機の積層鉄心にて１つの環状を形成するステータ。
【請求項１９】
円筒のハウジングと、
上記ハウジング内に固定された請求項１７または請求項１８に記載のステータと、
上記ステータの環状内に配設され上記ハウジングに回転可能に保持されたロータとを備えた回転電機。
【発明の詳細な説明】
【技術分野】
【０００１】
この発明は、磁気特性を再評価すること無くコア片間を拡大することができる回転電機の積層鉄心および回転電機の積層鉄心の製造方法およびステータおよび回転電機に関するものである。
【背景技術】
【０００２】
従来の回転電機の積層鉄心では、コア部材の長手方向に長尺の穴部を形成することにより、嵌合される突起部はそれぞれ穴部に沿って長尺だけ移動することができるため、各コア片の間隔を拡大させることが可能となり、巻線の作業性をさらに向上させることができる（例えば、特許文献１参照）。
【先行技術文献】
【特許文献】
【０００３】
【特許文献１】特開平２０００−２０１４５８号公報（段落「００４１」、図７、図８）
【発明の概要】
【発明が解決しようとする課題】
【０００４】
従来の回転電機の積層鉄心は、コア片の突起部を嵌合させるコア片の穴部の長さはコア片の重なり合う部分の形状によって制約を受ける。巻線の作業性を改善するために、コア片の間隔をさらに広げるためには、コア片の重なり合う部分の形状を変更する必要があった。この場合、コア片の磁気特性が変わるため、回転電機特性の再評価など開発の工数が増える問題点があった。
【０００５】
この発明は上記のような課題を解決するためになされたものであり、磁気特性を再評価すること無くコア片間を拡大することができる回転電機の積層鉄心および回転電機の積層鉄心の製造方法およびステータおよび回転電機を提供することを目的とする。
【課題を解決するための手段】
【０００６】
この発明の回転電機の積層鉄心は、
一端部が凸部に他端部が凹部にそれぞれ形成されたバックヨーク部と、
上記バックヨーク部から回転電機の内周側に突出して形成された磁極ティース部とを有する板状のコア片を、
上記バックヨーク部の凸部と上記バックヨーク部の凹部とが隣接するように帯状に配列するとともに、
上記回転電機の軸方向に複数積層連結された回転電機の積層鉄心であって、
上記軸方向の積層において、
複数の上記コア片の上記凸部が上記回転電機の回転方向と同一方向に配列された第１コア部材と、
複数の上記コア片の上記凸部が上記回転電機の回転方向と逆方向に配列された第２コア部材とが交互に複数積層され、
上記軸方向の上層側の少なくとも１組の上記第１コア部材および上記第２コア部材の上記コア片の上記凸部には、回動具が挿入可能な回動穴部を有し、
上記第１コア部材の少なくとも１つまたは上記第２コア部材の少なくとも１つには、隣接する上記コア片の上記バックヨーク部同士を上記凸部および上記凹部より外径側にて結合する結合部が形成されているものである。
【０００７】
また、この発明の回転電機の積層鉄心の製造方法は、
上記磁極ティース部に装着し、上記インシュレータを介して上記駆動コイルを巻装した後に、
隣接する上記コア片の上記回動穴部同士が積層方向において同一箇所となるよう、上記結合部を変形させて隣接する上記コア片同士を近接させ、上記回動穴部に上記回動具を挿入するものである。
【０００８】
また、この発明の回転電機の積層鉄心の製造方法は、
隣接する上記コア片の上記回動穴部同士が積層方向において同一箇所となるよう、上記結合部を変形させて隣接する上記コア片同士を近接させ、上記回動穴部に上記回動具を挿入した後、
上記磁極ティース部に装着し、上記インシュレータを介して上記駆動コイルを巻装する回転電機の積層鉄心の製造方法。
【０００９】
また、この発明のステータは、
本願発明の回転電機の積層鉄心を上記回動具にて上記コア片同士を回動させ環状に形成するものである。
【００１０】
また、この発明の回転電機は、
円筒のハウジングと、
上記ハウジング内に固定された本願発明のステータと、
上記ステータの環状内に配設され上記ハウジングに回転可能に保持されたロータとを備えたものである。
【発明の効果】
【００１１】
この発明の回転電機の積層鉄心および回転電機の積層鉄心の製造方法およびステータおよび回転電機は、上記のように構成されかつ製造されているため、
磁気特性を再評価すること無くコア片間を拡大することができる。
【図面の簡単な説明】
【００１２】
【図１】この発明の実施の形態１の回転電機の積層鉄心の構成を示す斜視図である。
【図２】図１に示した回転電機の積層鉄心の構成を示す平面図である。
【図３】図１に示した回転電機の積層鉄心の第１コア部材の構成を示す平面図である。
【図４】図１に示した回転電機の積層鉄心の第１コア部材の構成を示す平面図である。
【図５】図１に示した回転電機の積層鉄心の第２コア部材の構成を示す平面図である。
【図６】図１に示した回転電機の積層鉄心からの製造方法（回動位置決め工程中）を示す斜視図である。
【図７】図１に示した回転電機の積層鉄心からの製造方法（回動位置決め工程中）を示す斜視図である。
【図８】図１に示した回転電機の積層鉄心からの製造方法（回動ピン挿入工程中）を示す斜視図である。
【図９】図８に示した回転電機の積層鉄心の構成を示す平面図である。
【図１０】図８に示した回転電機の積層鉄心を用いたステータの製造方法を示す平面図である。
【図１１】図１０に示したステータの構成を示す斜視図である。
【図１２】図１０に示したステータの構成を示す部分平面図である。
【図１３】図８に示した回転電機の積層鉄心を用いたステータの構成を示す平面図である。
【図１４】図１３に示したステータの構成を示す斜視図である。
【図１５】図１３に示したステータを用いた回転電機の構成を示す平面図である。
【図１６】図１５に示した回転電機の構成を示す部分平面図である。
【図１７】図１に示した回転電機の積層鉄心の第２コア部材の他の構成を示す平面図である。
【図１８】この発明の実施の形態２の回転電機の積層鉄心の構成を示す平面図である。
【図１９】図１８に示した回転電機の積層鉄心からの製造方法を示す平面図である。
【図２０】この発明の実施の形態２の回転電機の積層鉄心の他の構成を示す平面図である。
【図２１】この発明の実施の形態２の回転電機の積層鉄心の他の構成を示す平面図である。
【発明を実施するための形態】
【００１３】
実施の形態１．
以下、本願発明の実施の形態について説明する。図１はこの発明の実施の形態１における回転電機の積層鉄心の構成を示す斜視図、図２は図１に示した回転電機の積層鉄心の構成を示す平面図、図３は図１に示した回転電機の積層鉄心の第１コア部材の構成を示す平面図、図４は図１に示した回転電機の積層鉄心の第１コア部材の構成を示す平面図、図５は図１に示した回転電機の積層鉄心の第２コア部材の構成を示す平面図である。
【００１４】
図１および図２において、回転電機の積層鉄心１１は、複数の板状のコア片１３から構成されている。このコア片１３は、一端部が凸部１６に他端部が凹部１７にそれぞれ形成されたバックヨーク部１４と、バックヨーク部１４のほぼ中央部から回転電機の内周側Ａに突出して形成された磁極ティース部１５とが形成されている。また、コア片１３には、軸方向Ｂにおいて積層連結するための連結部としての抜きかしめ部１９が、凸部１６および凹部１７が形成されている以外の箇所、ここでは、磁極ティース部１５に１箇所、バックヨーク部１４に２箇所に形成されている。
【００１５】
そして、回転電機の積層鉄心１１は、複数のコア片１３を、バックヨーク部１４の凸部１６と、バックヨーク部１４の凹部１７とが隣接するように帯状に、ここでは９枚並べて配列されている。さらに、複数のコア片１３を、回転電機の軸方向Ｂに、ここでは２０枚積層して連結されているものである。
【００１６】
次に、このように構成されている積層鉄心１１の軸方向Ｂの積層の詳細について図３から図５を交えて説明する。複数のコア片１３の凸部１６が回転電機の回転方向Ｃと同一方向に配列された第１コア部材２１、２２（図３および図４参照）と、複数のコア片１３の凸部１６が回転電機の回転方向Ｃと逆方向に配列された第２コア部材２３（図５参照）とが交互に複数積層されている。これら図３から図５は、第１コア部材２１、２２、第２コア部材２３をそれぞれ磁性材料をプレスして製造されている状態を示している。
【００１７】
そして、第１コア部材２１、２２は、一方の第１コア部材２１には結合部２５が形成されているコア片１３から構成されるものであり。他方の第１コア部材２２は結合部２５が形成されていないものであるコア片１３から構成されるものである。図３に示すように、第１コア部材２１は、バックヨーク部１４の凸部１６と、バックヨーク部１４の凹部１７とが隣接するように帯状に９枚のコア片１３が配列され、その凸部１６が回転方向Ｃと同一方向に配列されているものである。そして、コア片１３の凸部１６には、回動具（後述する）が挿入可能な回動穴部２６が形成されている。さらに、隣接するコア片１３のバックヨーク部１４同士を凸部１６および凹部１７より外径側Ｄにて結合する結合部２５が形成され、コア片１３同士を一体化している。
【００１８】
さらに、この結合部２５は、図１２に示すように、剛性が他の箇所と比較して弱くなる弱剛性箇所３１、３２を、他の箇所の幅寸法より幅寸法が細く、バックヨーク部１４に接する箇所に弱剛性箇所３１を、結合部２５の中央箇所に弱剛性箇所３２をそれぞれ形成している。尚、弱剛性箇所は、幅寸法を細くして形成する例を示したが、他に、例えば、厚み方向を薄くして形成することも考えられる。但し、プレスにて製造する場合には、幅寸法を変更する方が容易に対応することが可能である。
【００１９】
また、図４に示すように、第１コア部材２２は、結合部２５が形成されていないものであり、コア片１３が単独で存在する。そして、コア片１３の凸部１６には、回動具（後述する）が挿入可能な回動穴部２７が形成されている。また、図５に示すように、第２コア部材２２は、結合部２５が形成されていないものであり、コア片１３が単独で存在する。
そして、コア片１３の凸部１６には、回動具（後述する）が挿入可能な回動穴部２８が形成されている。
【００２０】
これら、第１コア部材２１、２２および第２コア部材２３を、本実施の形態においては、下端側から、第１コア部材２１、第２コア部材２３、第１コア部材２２、第２コア部材２３と順次積層するのを４回繰り返し、その後、第１コア部材２２、第２コア部材２３を順次積層するのを２回繰り返して、軸方向Ｂにおいて、コア片１３を２０枚積層して連結して形成されている。この軸方向Ｂの積層連結においては、軸方向Ｂのコア片１３同士は、抜きかしめ部１９同士によってかしめられて連結されている。
【００２１】
そしてこのように、結合部２５の形成されているコア片１３（第１コア部材２１）上には、結合部２５が形成されていないコア片１３（第２コア部材２３および第１コア部材２２）が積層連結され形成されているものである。また、特に、図２に示すように第１コア部材２２の回動穴部２７の位置と、第２コア部材２３の回動穴部２８の位置とは、隣接するコア片１３間において長手方向（回転方向Ｃに相当）において重なり合わない位置にて形成されている。
【００２２】
尚、図示は省略するが、このように形成されている回転電機の積層鉄心１１に以下に示す回動具を挿入する前に、磁極ティース部１５にインシュレータ５を装着し、当該インシュレータ５を介して駆動コイル４を巻装してもよい。その場合、隣接する磁極ティース部１５同士の間隔が回動具を挿入した後より大きく離反しているため、駆動コイル４が巻装しやすくなる。
【００２３】
このように形成されている回転電機の積層鉄心１１に回動具を挿入し、当該回動具により回動可能な状態として形成する場合について図６から図９を交えて説明する。最初は図１に示した状態である。そしてこの状態から、隣接するコア片１３の第１コア部材２２の回動穴部２７（第１コア部材２１の回動穴部２６）の位置と、第２コア部材２３の回動穴部２８の位置とが、軸方向Ｂにおいて同一箇所となるよう、結合部２５を変形させて隣接するコア片１３同士を近接させる工程を示す。
【００２４】
すると、図１から図６の状態となるように、第１コア部材２２の回動穴部２６（第１コア部材２１の回動穴部２６）の位置と、第２コア部材２３の回動穴部２７の位置との位置が、結合部２５が軸方向Ｂに若干変形することにより、近づいている。まず、図６から図７の状態となるように、第１コア部材２２の回動穴部２７（第１コア部材２１の回動穴部２６）の位置と、第２コア部材２３の回動穴部２８の位置との位置が、結合部２５が軸方向Ｂにさらに変形することにより、さらに近づいている。
【００２５】
そして、図７から図８の状態となるように、隣接するコア片１３の第１コア部材２２の回動穴部２７（第１コア部材２１の回動穴部２６）の位置と、第２コア部材２３の回動穴部２８の位置とが、軸方向Ｂにおいて同一箇所となるよう、結合部２５が軸方向Ｂに変形される状態となる。そして、図８および図９に示すように、第１コア部材２２の回動穴部２７（第１コア部材２１の回動穴部２６）と、第２コア部材２３の回動穴部２８とを介して回動具としての回動ピン３０を挿入する。
【００２６】
次に、先の工程にて駆動コイル４を巻装していない場合には、この回動ピン３０を挿入した後に、磁極ティース部１５にインシュレータ５を装着し、このインシュレータ５を介して駆動コイル４が巻装される。
【００２７】
尚、結合部２５には、弱剛性箇所３１、３２が形成されているため、その箇所から、変形しやすい。また、その弱剛性箇所３１、３２を、バックヨーク部１４に接する箇所および結合部２５の中央箇所にそれぞれ形成されているため、変形が軸方向Ｂに起こりやすくなる。但し、変形が、バックヨーク部１４の外径より外側に突出した場合には、結合部２５を削除することも可能である。また、結合部２５を削除しても、回動ピン３０が挿入されているため、コア片１３間の結合に支障を生じることは無い。
【００２８】
また、回動ピン３０の長さは、この例においては、結合部２５が形成されていない、上層から６層までを貫通する程度の長さにて形成されている例を示しているが、これに限られることは無く、回動するために、軸方向Ｂの上層側の少なくとも１組の第１コア部材２２および第２コア部材２３の２層までを貫通する程度の長さにて形成する必要がある。また、軸方向Ｂの最上層から最下層まで貫通する程度の長さにて形成することも考えられる。
【００２９】
よって、本実施の形態１においては、回動穴部２６、２７、２８を全てのコア片１３に設けている例を示したが、必ずしも全てのコア片１３に回動穴部を設ける必要は無く、回動ピン３０を挿入されるコア片１３のみに形成されていればよい。但し、製造上、種別を多くすると、製造が煩雑となるため、本実施の形態１においては、全てのコア片１３に回動穴部を形成する例を示している。
【００３０】
このように形成されている、回動ピン３０が挿入され駆動コイル４が巻装された回転電機の積層鉄心１１を、当該回動ピン３０により回動させ環状状態としてステータを形成する場合について図１０から図１４（尚、各図において、インシュレータおよび駆動コイルの図示は省略している。）を交えて説明する。尚、ここでは、回動ピン３０を挿入した積層鉄心１１を２つ用いて環状状態のステータを形成する場合について説明する。
【００３１】
まず、回動ピン３０を中心として隣接するコア片１３同士を回動することにより、例えば、図８および図９の帯状（直線状態）から図１０および図１１に示すように、積層鉄心１１を円弧状に変形することができる。そして、この状態の積層鉄心１１を２個つなげて、図１３および図１４に示すようにステータ３を形成している。
【００３２】
尚、ステータ３は、この例では２個の積層鉄心１１を円環状に組み合わせて構成する例を示したが、２個より多くの積層鉄心１１を用いて円環状に形成することも可能である。また、積層鉄心１１をこの例では９個のコア片１３を連結して構成しているが、さらに多くのコア片１３を連結して構成すれば、１個の積層鉄心１１にて円環状に形成することも可能である。
【００３３】
このように形成されたステータ３を用いて回転電機を形成する場合について図１５および図１６を用いて説明する。まず、円筒状のハウジング１内に、ステータ３を固定する。
そして、このステータ２内にて回転可能にハウジング１に保持してロータ６を配設する。
このロータ６には、その外周部にステータ２に対向するように固定された複数の永久磁石７を備えている。このようにして回転電機が形成される。
【００３４】
尚、上記実施の形態１では、第１コア部材２１のみに結合部２５を形成する例を示したが、これに限られることは無く、例えば図１７に示すように、第２コア部材２４に、隣接するコア片１３のバックヨーク部１４同士を凸部１６および凹部１７より外径側にて結合する結合部３５を形成してもよい。その場合、下端側から、第１コア部材２１、第２コア部材２３、第１コア部材２２、第２コア部材２３、第１コア部材２２、第２コア部材２４、第１コア部材２２、第２コア部材２３、第１コア部材２２、第２コア部材２３と順次積層するのを２回繰り返し、軸方向Ｂにおいて、コア片１３を２０枚積層して連結して形成することが可能である。
【００３５】
上記のように構成された実施の形態１の回転電機の積層鉄心によれば、コア片間を連結部にて連結されている箇所を有しているため、コア片を回動ピンを挿入した後の位置にはじめから形成する必要は無く、その位置より離れた状態でのコア片間の連結が可能となり、後工程で回動ピンを挿入した位置に組み立てて回動可能な状態で連結することができる。また隣り合うコア片を所望の間隔で一体化する結合部を設けることにより、隣接するコア片がバラバラにならないためコア片をハンドリングしやすくでき、製造が容易となる。
【００３６】
そして、コア片の回動穴部に嵌合させる突起部を従来のように設ける必要が無く、隣り合うコア片を所望の間隔で一体化する結合部を設けることにより、コア片の重なり合う部分の形状を変更すること無く、コア片の間隔を拡大可能であるとともにコア片の間隔を一定に維持したまま組み立てることができる。さらに、突起部を設けないため、後工程でコア片とコア片の間隔を縮めるときに抵抗無く位置決めできる。
【００３７】
また、抜きかしめ部を備えているため、軸方向においての連結が容易となる。
【００３８】
また、結合部を最下端位置に形成しているため、抜きかしめ部にて連結された回転電機の積層鉄心のハンドリングを、この結合部にて容易かつ確実に実施することができる。またこの効果は、最下端位置に限られることは無く、結合部を最上端位置に形成しても同様の効果を奏することができる。
【００３９】
また、結合部の形成されているコア片上に、結合部の形成されていないコア片を積層連結しているため、結合部の軸方向への変形が行いやすくなる。
【００４０】
また、第１コア部材の回動穴部の位置と、第２コア部材の回動穴部の位置とは、隣接するコア片間において長手方向において重なり合わない位置に形成されているため、隣接するコア片間の間隔を大きく確保することができる。
【００４１】
また、結合部には、弱剛性箇所を備えたので、コア片とコア片との間隔を縮め結合部を変形するための荷重を低減できる。
【００４２】
また、結合部の弱剛性箇所は、他の箇所の幅寸法より幅寸法が細く形成されているため、弱剛性箇所を容易に形成することができる。
【００４３】
また、弱剛性箇所を、バックヨーク部に接する箇所および結合部の中央箇所にそれぞれ形成しているため、結合部の曲がる位置を制御できるため、結合部の変形方向を軸方向に制御しやすくなり、結合部の除去工程が不要となる。よって、ステータの製造設備を簡素化できて製造コストを低減できる。
【００４４】
また、結合部は、バックヨーク部の外径より内側に形成されているため、ステータをハウジングに固定するときに、結合部がバックヨーク部の外径から外に変形されている可能性が低く、結合部の除去工程が不要となる。よって、製造コストを低減できる。
【００４５】
また、結合部は、軸方向に変形しているため、除去工程が不要となる。よって、製造設備を簡素化できて製造コストを低減できる。
【００４６】
また、結合部を除去する工程を備えるようにすれば、結合部の構成に関係なく行うことが可能となる。
【００４７】
また、これらのことより、回転電機の積層鉄心の製造方法、ステータ、回転電機において、製造コストが低減できる。
【００４８】
実施の形態２．
図１８はこの発明の実施の形態２による回転電機の積層鉄心の構成を示す平面図、図１９は図１８に示した回転電機の積層鉄心の回動ピン挿入後の構成を示す平面図である。図において、上記実施の形態１と同様の部分は同一符号を付して説明を省略する。第１コア部材２２の凸部１６に形成される回動穴部２７０（尚、図には示されていないが、第１コア部材２２の凸部１６に形成される回動穴部も同様）の大きさ（直径）は、回動ピン３０の大きさ（直径）よりしまりばめとなるように小さく形成されている。これに対し、第２コア部材２３の凸部１６に形成される回動穴部２８０の大きさ（直径）は、回動ピン３０の大きさ（直径）よりすきまばめとなるように大きく形成されている。
【００４９】
上記のように構成された実施の形態２の回転電機の積層鉄心によれば、上記実施の形態１と同様の効果を奏するのはもちろんのこと、回動ピンと回動穴部との関係が、しまりばめと、すきまばめとが設定されるため、回動ピンの回動穴部からの抜け防止機能を有することとなり、さらに、回転可能な連結が容易に構成できるため、回転電機の製造コストを低減できる。
【００５０】
尚、上記実施の形態２においては、第１コア部材の凸部に設けた回動穴部、または、第２コア部材の凸部に設けた回動穴部のいずれか一方は、回動具の大きさより大きい丸穴、他方は回動具の大きさより小さい丸穴にて形成する例を示したが、これに限られることはなく、例えば、第１コア部材の凸部に設けた回動穴部の形状、または第２コア部材の凸部に設けた回動穴部の形状のいずれか一方は、回動具の形状と同形状にて、他方は回動具の形状と異形状にて形成しても、上記実施の形態２と同様に行うことができ、同様の効果を奏することができる。
【００５１】
例えば、図２０に示すように、第１コア部材２２の凸部１６に形成される回動穴部２７０（尚、図には示されていないが、第１コア部材２２の凸部１６に形成される回動穴部も同様）は、回動ピン３０のしまりばめとなるように回転ピン３０と同形状の丸穴にて形成されている。これに対し、第２コア部材２３の凸部１６に形成される回動穴部２８１は、回動ピン３０のすきまばめとなるように回転ピン３０と異形状の四角穴にて形成されているものが考えられる。
【００５２】
また、他の例として、回転ピンを四角柱形状にて形成する場合であれば、図２１に示すように、第１コア部材２２の凸部１６に形成される回動穴部２７１（尚、図には示されていないが、第１コア部材２２の凸部１６に形成される回動穴部も同様）は、回動ピンのしまりばめとなるように同形状の四角穴にて形成されている。これに対し、第２コア部材２３の凸部１６に形成される回動穴部２８０は、回動ピンのすきまばめとなるように回転ピンと異形状の丸穴にて形成されているものが考えられる。
【００５３】
尚、本発明は、その発明の範囲内において、各実施の形態を自由に組み合わせたり、各実施の形態を適宜、変形、省略することが可能である。
【符号の説明】
【００５４】
１  ハウジング、２  ステータ、４  駆動コイル、５  インシュレータ、６  ロータ、７  永久磁石、１１  積層鉄心、１３  コア片、１４  バックヨーク部、
１５  磁極ティース部、１６  凸部、１７  凹部、１９  抜きかしめ部、
２１  第１コア部材、２２  第１コア部材、２３  第２コア部材、２５  結合部、
２６  回動穴部、２７  回動穴部、２８  回動穴部、３０  回動ピン、
３１  弱剛性箇所、３２  弱剛性箇所、Ａ  内周側、Ｂ  軸方向、Ｃ  回転方向。
【図１】
2014230345.tif 000003
【図２】
2014230345.tif 000004
【図３】
2014230345.tif 000005
【図４】
2014230345.tif 000006
【図５】
2014230345.tif 000007
【図６】
2014230345.tif 000008
【図７】
2014230345.tif 000009
【図８】
2014230345.tif 000010
【図９】
2014230345.tif 000011
【図１０】
2014230345.tif 000012
【図１１】
2014230345.tif 000013
【図１２】
2014230345.tif 000014
【図１３】
2014230345.tif 000015
【図１４】
2014230345.tif 000016
【図１５】
2014230345.tif 000017
【図１６】
2014230345.tif 000018
【図１７】
2014230345.tif 000019
【図１８】
2014230345.tif 000020
【図１９】
2014230345.tif 000021
【図２０】
2014230345.tif 000022
【図２１】
2014230345.tif 000023